(57)【要約】【課題】施工性の向上、作業手順の簡素化、及びコスト低減を図りつつ、橋梁の長寿命化を図ることが可能な伸縮装置の補修構造及び補修方法を提供する。【解決手段】車両の通行方向に所定間隔の継手遊間１０１（隙間１１５）を設けて対向配置される一対の継手部材１１０、１１０を備えた伸縮装置１００の補修構造であって、上面２１０ａが継手部材１１０の上面１１１ｃよりも低い位置又は同等の高さ位置となるようにフェースプレート１１１、１１１間の隙間１１５内に埋設されるバックアップ材２１０と、両継手部材間に跨がって伸縮装置の上面に塗布されるポリウレア樹脂により形成される塗膜防水層２２０と、を備える。隙間１１５内には止水性を有する排水路２３０が形成され、横断方向に付された道路勾配に従って、雨水を横断方向他端部に設けた路肩部へと排水する。【選択図】図２
2020133163.tif 000002
【特許請求の範囲】
【請求項１】
車両の通行方向に所定間隔の継手遊間を設けて対向配置される一対の継手部材を備えた伸縮装置の補修構造であって、
上面が前記各継手部材の上面よりも低い位置又は同等の高さ位置となるように前記継手遊間内に埋設されるバックアップ材と、
前記両継手部材間に跨がって前記伸縮装置の上面に塗布されるポリウレア樹脂により形成される塗膜防水層と、を備えることを特徴とする伸縮装置の補修構造。
【請求項２】
前記塗膜防水層は、前記両継手部材間に止水性を有する排水路を形成することを特徴とする請求項１に記載の伸縮装置の補修構造。
【請求項３】
前記バックアップ材の上面は、下方に凹陥した湾曲面であることを特徴とする請求項１又は２に記載の伸縮装置の補修構造。
【請求項４】
前記バックアップ材の上面は、平坦面であることを特徴とする請求項１に記載の伸縮装置の補修構造。
【請求項５】
前記バックアップ材と前記塗膜防水層との間に両者間の接着を防止する縁切り材が設置されていることを特徴とする請求項４に記載の伸縮装置の補修構造。
【請求項６】
車両の通行方向に所定間隔の継手遊間を設けて対向配置される一対の継手部材を備えた伸縮装置の補修方法であって、
上面が前記各継手部材の上面よりも低い位置となるように前記継手遊間内にバックアップ材を埋設する工程と、
前記両継手部材間に跨がって前記伸縮装置の上面にポリウレア樹脂を塗布して塗膜防水層を形成する工程と、を有することを特徴とする伸縮装置の補修方法。
【請求項７】
車両の通行方向に所定間隔の継手遊間を設けて対向配置される一対の継手部材を備えた伸縮装置の補修方法であって、
上面が前記各継手部材の上面と同等の高さ位置となるように前記継手遊間内にバックアップ材を埋設する工程と、
前記バックアップ材の上方に縁切り材を設置する工程と、
前記両継手部材間に跨がって前記伸縮装置の上面にポリウレア樹脂を塗布して塗膜防水を形成する工程と、を有することを特徴とする伸縮装置の補修方法。
【発明の詳細な説明】
【技術分野】
【０００１】
本発明は、道路橋等の継ぎ目部分に設置される伸縮装置の補修構造、及び伸縮装置の補修方法に関する。
【背景技術】
【０００２】
道路橋等の橋梁は、車両等の通行方向に伸びる橋桁の通行方向両端部が橋台又は橋脚に設置された支承により支持された構造を有する。橋桁は、気温の変化により伸縮変形し、又は、車両等が通行する際に発生する振動や歪み等の影響により湾曲変形するため、橋桁の変形に追従して伸縮する伸縮装置が橋桁同士の間又は橋桁と橋台との間に設置されている。伸縮装置を設置することにより、橋桁の変形を吸収して橋梁の破損を防止すると共に、車両等の通行上の不具合の発生を防止している。
近年、橋梁の長寿命化を図るため、伸縮装置の非排水化が進められている。非排水化とは、道路上の空間と橋桁間に形成される遊間部とを非連通状態（水密状態）に維持する止水手段を設置することである。伸縮装置を非排水化することにより、伸縮装置の隙間から土砂や雨水等が浸入することを防止でき、土砂や雨水等に起因する支承、橋台、及び橋脚の腐食或いは劣化を防止可能となる。
【０００３】
特許文献１には、縦板（ウェブプレート）間に形成される遊間を覆う止水手段としてのシール材を横板（フェースプレート）の直下に設置した伸縮継手が記載されている。しかし、長年の使用によりシール材に亀裂部や破損部が発生したり、シール材自体が脱落する等の要因により、止水機能を発揮できなくなる場合がある。
特許文献２には、横断面視概略Ｕ字形状のステンレス製の排水用樋の表面に伸縮性と止水性を有する合成樹脂層を形成して、排水用樋の亀裂部や破損部からの雨水の漏出を防止することが記載されている。
【先行技術文献】
【特許文献】
【０００４】
【特許文献１】特開２００３−６４６１４号公報
【特許文献２】特開２００３−６４６１３号公報
【発明の概要】
【発明が解決しようとする課題】
【０００５】
特許文献２においては、合成樹脂液を排水用樋の下面に吹き付けて合成樹脂層を形成する。一般的に橋梁の遊間部は狭隘、且つ閉鎖的な空間であるため、橋梁の遊間部に設置された各種の設備に対して下方から合成樹脂液を吹き付ける方法は施工性が悪く、作業手順が複雑化し、コストの増大を招くという問題がある。
本発明は上述の事情に鑑みてなされたものであり、施工性の向上、作業手順の簡素化、及びコスト低減を図りつつ、橋梁の長寿命化を図ることが可能な伸縮装置の補修構造及び補修方法を提供することを目的とする。
【課題を解決するための手段】
【０００６】
上記の課題を解決するために、本発明は、車両の通行方向に所定間隔の継手遊間を設けて対向配置される一対の継手部材を備えた伸縮装置の補修構造であって、上面が前記各継手部材の上面よりも低い位置又は同等の高さ位置となるように前記継手遊間内に埋設されるバックアップ材と、前記両継手部材間に跨がって前記伸縮装置の上面に塗布されるポリウレア樹脂により形成される塗膜防水層と、を備えることを特徴とする。
【発明の効果】
【０００７】
本発明によれば、施工性の向上、作業手順の簡素化、及びコスト低減を図りつつ、橋梁の長寿命化を図ることが可能となる。
【図面の簡単な説明】
【０００８】
【図１】道路の継ぎ目部分の基本的な構造を示した一部断面斜視図である。
【図２】本発明の一実施形態に係る伸縮装置の補修構造を示した横断面図である。
【図３】（ａ）、（ｂ）は、伸縮装置の補修構造の排水路部分を拡大して示した横断面図である。
【図４】伸縮装置の補修構造の排水路部分を拡大して示した横断面図である。
【図５】ポリウレア樹脂を対象物に吹き付ける吹付装置の一例を示す模式図である。
【図６】本発明の一実施形態に係る補修手順を示したフローチャートである。
【図７】道路を横断方向に沿って切断した状態を示す断面図である。
【発明を実施するための形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１０】
〔道路構造１〕
図１は、道路の継ぎ目部分の基本的な構造を示した一部断面斜視図である。
図示する道路１０（道路橋）は、車両の通行方向（橋軸方向）に所定の間隔Ｔの遊間１１を設けて対向配置される道路本体１３、１３と、道路本体１３、１３上に所定厚さにて施工された舗装１７、１７と、道路本体１３、１３の間に配置される伸縮装置１００を備える。なお、ここでいう道路本体１３、１３には、車両の通行方向に沿って伸びる主桁によって支持された床版等の床構造体と、上部に設置した支承により主桁の通行方向両端部を支持する橋台とを含む。
遊間１１は、道路本体１３、１３の温度変化に伴う伸縮や、道路本体１３、１３の通行方向側端部の上下動等、道路本体１３、１３の変形を許容するために設けられた隙間であり、道路１０の横断方向に伸びる。
図示する各道路本体１３、１３の橋軸方向の遊間１１側端部には、道路本体１３、１３の他の部位よりも低く形成された段差部１５、１５を備える。
以下、伸縮装置１００が橋軸方向と直交する橋軸直角方向に伸びるように設置されているものとして説明する。
【００１１】
〔伸縮装置の基本構造〕
伸縮装置１００は、道路１０の継ぎ目部分に設置され、道路本体１３、１３等の変形を吸収する装置である。
伸縮装置１００は、車両の通行方向に所定の間隔を設けて対向配置される一対の継手部材１１０、１１０と、継手部材１１０、１１０間に形成される継手遊間１０１内に充填（嵌合、或いは埋設）されて、道路本体１３の下方に位置する主桁や支承等への漏水を阻止する一次止水手段１２０と、継手部材１１０、１１０の下部又は下方に配置されて道路の横断方向（橋軸直角方向）に沿って伸びる樋状のゴムシートからなる二次止水手段１３０と、継手部材１１０、１１０を道路本体１３、１３に固定する後打ちコンクリート１４０、１４０等を備える。後打ちコンクリート１４０、１４０は、その上面が舗装１７の上面と同等の高さ位置となるように道路本体１３、１３に形成された段差部１５、１５に施工される。
【００１２】
各継手部材１１０、１１０は、上面が道路上に露出すると共に横断方向に沿って伸びるフェースプレート１１１と、フェースプレート１１１の短手方向の適所から下方に垂下するウェブプレート１１３とを備える。本例に示すウェブプレート１１３はフェースプレート１１１の短手方向の中間部適所から下方に垂下しており、各継手部材１１０、１１０は、通行方向に沿った横断面視にて概略Ｔ字形状を有する。
【００１３】
フェースプレート１１１及びウェブプレート１１３は所定の厚さを有した鋼材により形成される。本例に示す伸縮装置１００は、いわゆる荷重支持型の伸縮装置であり、フェースプレート１１１、１１１同士が対向する側の端部には、長手方向に沿って凹部１１１ａと凸部１１１ｂとが順次形成されている。継手部材１１０、１１０は、一方のフェースプレート１１１の凸部１１１ｂと他方のフェースプレート１１１の凹部１１１ａとが、所定間隔の隙間１１５を有して対向するように配置される。隙間１１５は、フェースプレート１１１、１１１の長手方向に沿って波状に、ジグザグ状に、或いは蛇行するように形成される。
なお、道路本体１３、１３の段差部１５、１５には、一部が道路本体１３、１３に埋設・固定されたアンカーが配置されており、各継手部材１１０、１１０はアンカーに対して溶接された後、後打ちコンクリート１４０、１４０が施工されることにより、道路本体１３、１３に固定、一体化される。
【００１４】
フェースプレート１１１、１１１の直下、且つウェブプレート１１３、１１３の間には、一次止水手段１２０が配置される。一次止水手段１２０は、伸縮装置１００の非排水化手段であり、フェースプレート１１１、１１１上部の空間とフェースプレート１１１、１１１下部の空間とを非連通状態（水密状態）に維持する手段である。一次止水手段１２０は、フェースプレート１１１、１１１の直下に挿入又は充填される一次シール材１２１と、一次シール材１２１の下方に配置され、一次シール材１２１の高さ位置を調整する一次バックアップ材１２３とを備える。
一次止水手段１２０には、継手部材１１０、１１０の接近又は離間移動に追従する弾性を有した材料が使用される。例えば、一次シール材１２１には、ゴムやウレタン等が使用され、一次バックアップ材１２３には発泡ポリエチレンやウレタン等が使用される。
【００１５】
二次止水手段１３０は、一次止水手段１２０を構成する材料の経年劣化や、フェースプレート１１１、１１１の隙間１１５から侵入した土砂等の堆積物により、一次止水手段１２０が損傷或いは脱落して、止水機能を発揮できなくなった場合に、発生した漏水を受け止めて主桁や支承等へ到達することを阻止する手段である。
本例に示す二次止水手段１３０は、長手方向の両端部が閉塞されたゴム性の樋により構成されており、樋の適所に接続されたドレンパイプから漏水を排水して、橋梁の各構造体の漏水による劣化を防止する。なお、二次止水手段１３０は任意で設置される。
【００１６】
一次止水手段１２０は、長年の使用による材料の劣化や、フェースプレート１１１、１１１の隙間１１５内に堆積した土砂等が車両の通行時に押し込まれること等により、損傷或いは脱落して、本来の機能を発揮できなくなる場合がある。また、古い橋梁のように止水手段が設置されていない場合や、継手部材１１０、１１０の下方に設置した排水用の樋が排水機能を発揮できなくなっている場合もある。このような場合には、伸縮装置１００の継手遊間１０１（本例ではフェースプレート１１１、１１１間に形成された隙間１１５）から遊間１１内に浸入した雨水が主桁や支承等に到達し、長期に渡って滞留する結果、橋梁の各構造体を腐食させたり劣化させたりする要因となるため、補修が必要となる。
【００１７】
〔伸縮装置の補修構造〕
図２は、本発明の一実施形態に係る伸縮装置の補修構造を示した横断面図である。図３（ａ）、（ｂ）は、伸縮装置の補修構造の排水路部分を拡大して示した横断面図である。
補修構造２００は、継手部材１１０、１１０間に設けられた継手遊間１０１内、特に本例ではフェースプレート１１１、１１１間に形成された隙間１１５内に埋設されるバックアップ材２１０と、両継手部材１１０、１１０間に跨がって伸縮装置１００の上面に塗布されるポリウレア樹脂により形成される塗膜防水層２２０と、を備える。塗膜防水層２２０は、バックアップ材２１０の表面形状に応じて、継手部材１１０、１１０間に継手部材１１０、１１０同士の間隔変動に追従する伸縮性と止水性を有する排水路２３０を形成する。
【００１８】
＜バックアップ材、排水路＞
バックアップ材２１０は、その上面２１０ａが、継手部材１１０、１１０のフェースプレート１１１、１１１の上面１１１ｃ、１１１ｃよりも低い位置又は水平位置（同等の高さ位置）となるように隙間１１５内に埋設される。
ここで、上面２１０ａが上面１１１ｃ、１１１ｃよりも低い位置とは、上面２１０ａの一部（最下部）が上面１１１ｃ、１１１ｃに対して低い位置にある場合と、上面２１０ａの全体が上面１１１ｃ、１１１ｃに対して低い位置にある場合の双方を含む。なお、上面２１０ａの一部（最下部）が上面１１１ｃ、１１１ｃに対して低い位置にある場合には、上面２１０ａを下方に凹陥した湾曲面とすることにより、上面１１１ｃ、１１１ｃに対して階段状の段差を形成しない場合を含む。
上面２１０ａが上面１１１ｃ、１１１ｃと同等の高さ位置にある場合、上面２１０ａは上面１１１ｃ、１１１ｃと共に概ね平坦面を形成する。
【００１９】
排水路２３０は、図３（ａ）に示すように、バックアップ材２１０の上面２１０ａのみによって形成される溝部内に形成されてもよい。この場合、バックアップ材２１０の上面２１０ａを下方に凹陥した湾曲面とする。
或いは、排水路２３０は、図３（ｂ）に示すように、バックアップ材２１０の上面２１０ａとフェースプレート１１１、１１１の対向面１１１ｄ、１１１ｄとによって形成される溝部内に形成されてもよい。この場合においても、図３（ａ）と同様にバックアップ材２１０の上面２１０ａを下方に凹陥した湾曲面としてもよい。バックアップ材２１０の上面２１０ａを下方に凹陥した湾曲面とすれば、隙間１１５の拡縮に伴って発生する、上面２１０ａと対向面１１１ｄ、１１１ｄとの切り替わり部分における塗膜防水層２２０への機械的負荷を軽減することができる。また、塗膜防水層２２０が収縮時に上方（路面よりも上方）へ飛び出すことを防止できる。
【００２０】
バックアップ材２１０は、塗膜防水層２２０の高さ方向における形成位置を調整するため、即ち、排水路２３０の深さを調整するために挿入される。また、バックアップ材２１０は、排水路２３０の形状を調整するために挿入される。
【００２１】
バックアップ材２１０には、隙間１１５の間隔変動、即ち、継手部材１１０、１１０の接近又は離間移動に追従して変形可能な弾力性を有した材料が使用される。バックアップ材２１０は、隙間１１５の間隔変動が発生した場合であっても、対向面１１１ｄ、１１１ｄへの密着状態を維持する。
バックアップ材２１０は、固体バックアップ材２１１と固体バックアップ材２１１上に充填されるコーキング材２１３とにより構成される。
固体バックアップ材２１１には、所定の横断面形状、例えば矩形状の横断面形状を有した固体のシリコン系材料、発泡ポリエチレン材、又はウレタン材等が使用される。固体バックアップ材２１１は、弾性変形前において隙間１１５の間隔よりも幅広であり、幅方向（通行方向）に圧縮された状態にて隙間１１５に挿入される。
コーキング材２１３は、初期状態においては隙間１１５内に充填可能な一定の流動性を有し、時間の経過と共に固体状に変化し、変化後においても弾性変形が可能である。コーキング材２１３は、隙間１１５内に充填された後にヘラ等を用いて所定形状の上面２１０ａに整形される。排水路２３０を形成する場合、コーキング材２１３の表面は円錐形のコテ等を用いて、例えば下方に凹陥した湾曲形状の上面２１０ａに整形される。排水路２３０を形成しない場合、コーキング材２１３の表面はヘラ等で均されて、フェースプレート１１１、１１１の上面１１１ｃ、１１１ｃと共に平坦面を形成する上面２１０ａに整形される。
【００２２】
＜縁切り材＞
図４は、伸縮装置の補修構造の排水路部分を拡大して示した横断面図である。
バックアップ材２１０の上面２１０ａを、フェースプレート１１１、１１１の上面１１１ｃ、１１１ｃと同等の高さ位置となるように設置する場合は、必要に応じて上面２１０ａ及び上面１１１ｃ、１１１ｃと、塗膜防水層２２０との間に縁切り材２１５を設置する。縁切り材２１５は、塗膜防水層２２０が上面２１０ａ及び上面１１１ｃ、１１１ｃに対して接着することを防止して、伸縮装置１００の伸縮量に応じた塗膜防水層２２０の伸び代を確保する。
【００２３】
縁切り材２１５は、塗膜防水層２２０の形成前に、バックアップ材２１０上に設置される。縁切り材２１５は、塗膜防水層２２０を構成するポリウレア樹脂の伸縮を阻害しない材料から構成される。縁切り材２１５は、例えばマスキングテープ、養生テープ、及びビニールシート等を適宜用いて作製される。縁切り材２１５は、塗膜防水層２２０の伸縮に追従して伸縮する必要はなく、最終的には断裂しても構わない。
【００２４】
ここで、隙間１１５の標準間隔をＷ０、施工時における隙間１１５の伸縮量を２Ｗ１とした場合に、施工時における隙間１１５の間隔Ｗ２は「Ｗ２＝Ｗ０−２Ｗ１」と表される。但し、道路本体１３が伸長したときの伸縮量Ｗ１を正の値とし、道路本体１３が収縮したときの伸縮量Ｗ１を負の値としている。
【００２５】
縁切り材２１５の幅Ｗ（通行方向における長さ）は以下のように決定される。
Ｗ２＝Ｗ０のとき、縁切り材２１５の幅Ｗ＝０とする。即ち、縁切り材２１５を設置しない。
Ｗ２＞Ｗ１のとき、縁切り材２１５の幅Ｗ＝Ｗ２とする。
Ｗ２＜Ｗ１のとき、縁切り材２１５の幅Ｗ＝Ｗ１とする。
縁切り材２１５は、バックアップ材２１０上において、継手部材１１０の長手方向に沿って直線的に設置される。縁切り材２１５をフェースプレート１１１、１１１間に跨がらせる場合は、縁切り材２１５が両上面１１１ｃ、１１１ｃに対して均等幅で重なるように、縁切り材２１５を継手部材１１０、１１０の短手方向の中央部に配置する。なお、縁切り材２１５を隙間１１５の蛇行に沿って設置してもよい。
【００２６】
縁切り材２１５を設置することにより、塗膜防水層２２０の伸び代を確保し、縁切り材２１５の設置部位における塗膜防水層２２０の自由な伸縮を許容する。
即ち、気温に応じた道路本体１３の伸縮に伴って、隙間１１５の間隔は夏季において最小となり、冬季において最大となる。施工時における隙間１１５の伸縮量Ｗ１及び間隔Ｗ２に基づいて縁切り材２１５の幅Ｗを決定し、上面２１０ａ及び上面１１１ｃ、１１１ｃに対する塗膜防水層２２０の非接着部位を設けることによって、施工時季に応じて適切な量の塗膜防水層２２０の伸び代を確保できる。従って、伸縮に伴う塗膜防水層２２０への機械的負荷を軽減すると共に、ポリウレア樹脂の性能を最大限に発揮できる。
また、フェースプレート１１１には、その短手方向に対して傾斜した端縁を有する凹部１１１ａと凸部１１１ｂとが順次形成されている。そのため、継手部材１１０上に直接に塗膜防水層２２０を形成した場合、塗膜防水層２２０にはフェースプレート１１１の凹凸形状に応じた斜め方向の応力（短手方向に対して傾斜した応力）が作用する。このように、フェースプレート１１１に付着した塗膜防水層２２０に対しては継手部材１１０の短手方向に沿った単純な伸縮力が働くわけではない。
一方、本実施形態のように、ポリウレア樹脂の付着面の一部に縁切り材２１５を挿入することにより、縁切り材２１５の挿入部位については他の部材の影響を受けずにポリウレア樹脂単独で自由に伸縮することができる。従って、伸縮に伴う塗膜防水層２２０への機械的負荷を軽減すると共に、ポリウレア樹脂の性能を最大限に発揮できる。
【００２７】
＜塗膜防水層、ポリウレア樹脂、吹付装置＞
塗膜防水層２２０は、両継手部材１１０、１１０のフェースプレート１１１、１１１間に跨がって形成される。本例では、塗膜防水層２２０は、後打ちコンクリート１４０、１４０間に跨がって形成される。ポリウレア樹脂は、継手部材１１０、１１０の接近又は離間移動に追従して弾性変形する。
以下、塗膜防水層２２０を形成するポリウレア樹脂について説明する。
図５は、ポリウレア樹脂を対象物に吹き付ける吹付装置の一例を示す模式図である。
ポリウレア樹脂は、ポリイソシアネート化合物（主剤）と活性水素を持つアミン化合物（硬化剤）とをスプレーガンで衝突混合させて化学反応させることにより生成される。吹付装置２０は、ポリイソシアネート化合物とアミン化合物を衝突混合させてミスト状にして対象物に吹き付ける装置である。
【００２８】
吹付装置２０は、ポリイソシアネート化合物を収容した第一タンク２１ａ、アミン化合物を収容した第二タンク２１ｂ、第一タンク２１ａから化合物を送り出す第一ポンプ２２ａ、第二タンク２１ｂから化合物を送り出す第二ポンプ２２ｂ、化合物に十分な圧力をかけて所定量を送り出す高圧定量ポンプ２３、輸送される化合物を加熱するヒータ２４、化合物の温度を保持するヒータ付ホース２５、及び、両化合物を衝突混合させてミスト状態で射出するスプレーガン２６を備えている。また、吹付装置２０は、高圧定量ポンプ２３を制御して両化合物の混合割合を可変させたり、ヒータを制御して加熱温度等を可変させる反応制御装置等も備えている。
第一タンク２１ａと第二タンク２１ｂに収容されたポリイソシアネート化合物とアミン化合物は、それぞれ第一及び第二ポンプ２２ａ、２２ｂにより送液され、高圧定量ポンプ２３により所定の圧力に加圧されて所定量が送り出される。両化合物は、ヒータ２４により所定の温度に加熱されヒータ付ホース２５により所定の温度に保持されたままスプレーガン２６に送られる。スプレーガン２６は、両化合物を衝突混合させると共に、ミスト状にして射出する。両化合物は化学反応によりポリウレア樹脂を生成し、吹付対象物の表面において固化し、塗膜を形成する。
【００２９】
＜塗膜防水層の両端部の形状＞
図２に示すように、本例においては、後打ちコンクリート１４０、１４０間に跨がって塗膜防水層２２０を形成する。特に本例においては、後打ちコンクリート１４０の通行方向の全体に塗膜防水層２２０を形成する。そのため、塗膜防水層２２０の通行方向両端部には、舗装１７の上面１７ａとの間における段差の発生を極力防止するため、通行方向の端部から中央部に向かって膜厚が漸増する傾斜面２２１を形成する。なお、傾斜面２２１は、平坦面でも湾曲面でもこれらを組み合わせて形成される面でもよい。傾斜面２２１は、ポリウレア樹脂を吹き重ねる回数（又は吹付時間）を適宜調整することにより形成できる。傾斜面２２１を設けることにより、車両の通行による塗膜防水層２２０の剥離を防止でき、長期に渡って性能を維持することができる。また、後打ちコンクリート１４０と舗装１７との間に階段状の段差が形成されないため、車両の走行時における振動を抑制できる。
【００３０】
＜変形例＞
塗膜防水層２２０の通行方向における長さは、ポリウレア樹脂が伸縮装置１００に対して十分な接着性を発揮できる長さに設定される。従って、塗膜防水層２２０は継手部材１１０の上面のみに施工されてもよいし、後打ちコンクリート１４０の上面を含んで施工されてもよい。また、塗膜防水層２２０は、継手部材１１０の上面の全体に施工されてもよいし、上面のうち継手部材１１０同士が互いに対向する側の端部にのみ施工されてもよい。同様に、塗膜防水層２２０は、後打ちコンクリート１４０の上面の全体に施工されてもよいし、上面のうち継手部材１１０側の端部にのみ施工されてもよい。
【００３１】
本発明に係る伸縮装置１００の補修構造２００において、塗膜防水層２２０は少なくとも対向配置された２つの継手部材間に跨がって形成される。塗膜防水層２２０は、継手部材１１０、１１０の形状に応じて、伸縮装置１００の上面の何れの部分に形成されるかが決定される。例えば、補修構造２００は、フェースプレート１１１を実質的に備えない伸縮装置に対して適用することも可能であり、この場合は、塗膜防水層２２０の形成箇所に後打ちコンクリート１４０の上面を含む。なお、伸縮装置１００を構成する各継手部材は互いに異なる形状を有してしてもよく、この場合、塗膜防水層２２０の施工箇所は各継手部材の形状に応じた最適な箇所に設定される。
【００３２】
〔伸縮装置の補修手順〕
図６は、本発明の一実施形態に係る補修手順を示したフローチャートである。
なお、伸縮装置１００の補修に当たっては、事前に施工箇所を確認し、伸縮装置１００、継手遊間１０１、及び、後打ちコンクリート１４０の状態、並びに伸縮装置の伸縮量（２Ｗ１）を確認し、必要に応じて断面修復等を実施しておく。また、施工空間の確保、素地調整時における粉塵の飛散、及びポリウレア樹脂の吹き付け時における飛散を防止するため、飛散防止ネットを設置しておく。
【００３３】
ステップＳ１においては、既設の一次シール材１２１の一部又は全部を、伸縮装置１００（継手部材１１０、１１０）を損傷させないようにして撤去する。本工程においては、バックアップ材２１０の設置やポリウレア樹脂の吹き付け時等、ステップＳ２以降の工程において障害となりうる一次シール材１２１部分を撤去すれば足り、ステップＳ２以降の工程で一次シール材１２１の存在が障害とならない場合は、本工程を省略することができる。
ステップＳ２においては、ポリウレア樹脂の吹き付け対象となる部位の表面状態を調整する。具体的には、ディスクサンダー等を用いて、フェースプレート１１１の上面１１１ｃに発生した錆を除去し、後打ちコンクリート１４０、１４０表面に付着した付着物や劣化部分を除去する。
ステップＳ３においては、塗膜防水層２２０の形成部と非形成部との仕切り線を明確化するため、マスキングテープ、養生テープ、及びビニールシート等を用いてポリウレア樹脂の吹き付け対象範囲外をマスキングする。
ステップＳ４においては、隙間１１５上に形成する塗膜防水層２２０の形状に応じて、バックアップ材２１０の設置位置及び形状を決定する。バックアップ材２１０の上面をフェースプレート１１１、１１１の上面１１１ｃ、１１１ｃよりも低い位置とする場合（ステップＳ４にて凹形状）はステップＳ５以下の工程が実施される。バックアップ材２１０の上面をフェースプレート１１１、１１１の上面１１１ｃ、１１１ｃに対して水平位置とする場合（ステップＳ４にて平面形状）はステップＳ６以下の工程が実施される。
【００３４】
ステップＳ５においては、伸縮装置１００の隙間１１５内の所定の深さ位置にバックアップ材２１０を設置する。まず、固体バックアップ材２１１を隙間１１５内の所定の深さ位置に挿入した後、コーキング材２１３を充填する。その後、例えば、図３（ａ）に示すように上面２１０ａが下方に凹陥した湾曲面となるように円錐形状のコテ等を用いて整形する。上面２１０ａはポリウレア樹脂の吹付面となる。
【００３５】
ステップＳ６においては、設置する縁切り材２１５の幅Ｗを、施工前に測定した隙間１１５の間隔Ｗ２と伸縮装置１００の伸縮量Ｗ１とに基づいて決定する。
【００３６】
ステップＳ７においては、伸縮装置１００の隙間１１５内の所定の深さ位置にバックアップ材２１０を設置する。まず、固体バックアップ材２１１を隙間１１５内の所定の深さ位置に挿入した後、コーキング材２１３を充填する。その後、例えば、図■に示すように上面２１０ａが上面１１１ｃ、１１１ｃに対して水平となるようにコーキングヘラ等を用いて整形する。上面２１０ａはポリウレア樹脂の吹付面となる。
ステップＳ８においては、マスキングテープ、養生テープ、及びビニールシート等を用いた縁切り材２１５を設置する。なお、ステップＳ６において縁切り材２１５の幅「Ｗ＝０」となった場合、本工程は省略される。
【００３７】
ステップＳ９においては、ポリウレア樹脂の吹付面に、プライマーをムラが出ないように均一に塗布し、乾燥硬化させる。
ステップＳ１０においては、吹付装置２０（図５参照）を用いて、ポリウレア樹脂をムラが出ないように所定の厚みになるまで吹付面に均一に塗布し、塗膜防水層２２０を形成する。本工程により、継手部材１１０、１１０間に伸縮性と止水性を有する排水路２３０が形成される。
ステップＳ１１においては、ステップＳ３にて設置したマスキング材を撤去し、所定の時間以上（例えば１時間以上）養生する。
ステップＳ８においては、目視、指触などにより、塗膜防水層２２０の硬化状態やピンホールの有無等を確認する。また、膜厚計を用いて塗膜防水層２２０が所定の膜厚を有しているかを確認する。
【００３８】
〔道路構造２〕
図７は、道路を横断方向に沿って切断した状態を示す断面図である。
図示する道路１０は、例えば紙面の奥側から手前側に向かって車両が走行する二車線道路であり、道路１０の横断方向両端部には防護柵１８（高欄）が設置されている。道路１０には、横断方向の一端部から他端部に向かって下り勾配が付されており、道路１０上に降下した雨水等は横断方向の他端部に向かって流れる。
本発明の実施形態に係る伸縮装置１００の補修方法は、図２に示すように車両の通行方向に離間して配置された一対の継手部材１１０、１１０間に、所定厚さのポリウレア樹脂による止水性が付与された排水路２３０を形成する。道路１０の横断方向に沿って伸びる排水路２３０は、雨水等を道路勾配に従って横断方向の他端部に向かって排水する。雨水等は、最終的に図７に示される路肩部１９の走行方向の適所に設置された集水枡から道路１０外へと排水される。
このように、本実施形態においては、補修により伸縮装置１００の止水性能を復活させるだけではなく、伸縮装置１００の表面にポリウレア樹脂層を連続的・一体的に形成して防水・止水することによって、伸縮装置１００上に排水路を形成することができる。従って、伸縮装置１００上に降下した雨水を効果的に排水することができる。
また、伸縮装置１００の表面だけではなく、防護柵１８、１８の上面、道路１０に面した防護柵１８、１８の表面、及び伸縮装置１００に跨がって一体的な継ぎ目のない塗膜防水層２２０を形成することにより、主桁や支承等への漏水を効果的に阻止し、主桁や支承の腐食を防止して、道路の長寿命化を実現できる。
【００３９】
〔ポリウレア樹脂の特性〕
＜基本特性＞
塗膜防水層２２０を形成するポリウレア樹脂には、ライノ・ライニングス社のポリウレア樹脂「ライノ・エクストリーム」を使用することができる。ライノ・エクストリームの特性は、以下の通りである。
【００４０】
【表１】
2020133163.tif 000003
【００４１】
＜耐候性試験結果＞
ライノ・エクストリームについて、平成３０年２月１３日、東京都立産業技術研究センターにて耐候性試験を実施した。試験結果は以下の通りである。
【００４２】
【表２】
2020133163.tif 000004
【００４３】
ライノ・エクストリームは、ＷＯＭ２、５００時間（屋外暴露１０〜１５年相当）後も表面に亀裂、クラックなどの発生は見られなかった。本試験の結果から、ライノ・エクストリームは、本発明の実施形態に係る伸縮装置の補修方法に問題なく使用できる耐候性を有していることが確認された。
【００４４】
＜耐候性試験後の引張・せん断試験＞
ライノ・エクストリームについて、平成３０年２月１９日、東京都立産業技術研究センターにて、耐候性試験後の引張試験、及びせん断試験を実施した。試験には株式会社島津製作所製の「オートグラフAG-100KNXplus」を使用した。試験結果は以下の通りである。
【００４５】
【表３】
2020133163.tif 000005
【００４６】
引張試験では、初期値（未処理試験片）に対し、耐候性試験後の試験片の応力保持率は、約５３％であった。せん断試験では、初期値（未処理試験片）に対し、耐候性試験後の試験片の応力保持率は、約１１２％であった。本試験の結果から、ライノ・エクストリームは、本発明の実施形態に係る伸縮装置の補修方法に問題なく使用できる応力保持率を有していることが確認された。
【００４７】
〔効果〕
本実施形態によれば、伸縮装置の表面全体にポリウレア樹脂を吹き付けて塗膜防水層を形成するため、作業手順の簡素化を図れる。
本実施形態によれば、耐久性、耐候性に優れたポリウレア樹脂（例：ライノ・エクストリーム）を使用することにより、高寿命な塗膜防水層を形成することができるため、伸縮装置の安全性が長く維持される。
スプレー塗装機器による吹き付け作業により塗膜防水層を形成するので、橋梁上面から安定した施工作業ができる上、伸縮装置が複雑な形状でも施工が容易になり、施工性の向上が図れるとともに、より高品質な防水塗膜の形成が可能となる。
速硬化性のあるスプレー吹き付け型のポリウレア樹脂を使用することにより、必要十分な性能を発揮できる所定量のポリウレア樹脂の吹付が、１回の吹き付け作業で完了する。このため、作業手順を簡素化でき、また養生時間も短時間で済むので工期短縮を図れる。この結果、労務費を大きく削減できるため、経済性が大幅に向上する。
ポリウレア樹脂は、カドミウム等の有害性物質を含まず、かつ、無溶剤で揮発性有機化合物（ＶＯＣ）を含まないため、周辺環境に与える影響を小さくでき、かつ作業員の安全も確保される。
【００４８】
〔本発明の実施態様例と作用、効果のまとめ〕
＜第一の実施態様＞
本態様は、車両の通行方向に所定間隔の継手遊間１０１（隙間１１５）を設けて対向配置される一対の継手部材１１０、１１０を備えた伸縮装置１００の補修構造であって、上面２１０ａが継手部材１１０の上面１１１ｃよりも低い位置又は同等の高さ位置となるように継手遊間（隙間）内に埋設されるバックアップ材２１０と、両継手部材間に跨がって伸縮装置の上面に塗布されるポリウレア樹脂により形成される塗膜防水層２２０と、を備えることを特徴とする。
本態様によれば、施工性の向上、作業手順の簡素化、及びコスト低減を図りつつ、橋梁の長寿命化を図ることが可能となる。
【００４９】
＜第二の実施態様＞
本態様に係る伸縮装置１００の補修構造において、塗膜防水層２２０は、両継手部材１１０、１１０間に止水性を有する排水路２３０を形成することを特徴とする。
本態様によれば、止水性を有する排水路を形成するため、排水路内に降下した雨水を道路に付された勾配に沿って路肩部側に排出することができる。
【００５０】
＜第三の実施態様＞
本態様に係る伸縮装置１００の補修構造において、バックアップ材２１０の上面２１０ａは、下方に凹陥した湾曲面であることを特徴とする。
本態様によれば、塗膜防水層２２０への機械的負荷を軽減することができる。
【００５１】
＜第四の実施態様＞
本態様に係る伸縮装置１００の補修構造において、バックアップ材２１０の上面２１０ａは、平坦面であることを特徴とする。
本態様によれば、バックアップ材の設置が容易となる。
【００５２】
＜第五の実施態様＞
本態様に係る伸縮装置１００の補修構造において、バックアップ材２１０と塗膜防水層２２０との間に両者間の接着を防止する縁切り材２１５が設置されていることを特徴とする。
本態様によれば、塗膜防水層の伸び代を確保でき、塗膜防水層への機械的負荷を軽減できる。
【００５３】
＜第六の実施態様＞
本態様は、車両の通行方向に所定間隔の継手遊間１０１（隙間１１５）を設けて対向配置される一対の継手部材１１０、１１０を備えた伸縮装置１００の補修方法である。
本補修方法は、上面２１０ａが継手部材１１０の上面１１１ｃよりも低い位置となるように継手遊間内にバックアップ材２１０を埋設する工程（ステップＳ５）と、両継手部材間に跨がって伸縮装置の上面にポリウレア樹脂を塗布して塗膜防水層２２０を形成する工程（ステップＳ１０）と、を有することを特徴とする。
本態様によれば、施工性の向上、作業手順の簡素化、及びコスト低減を図りつつ、橋梁の長寿命化を図ることが可能となる。
【００５４】
＜第七の実施態様＞
本態様は、車両の通行方向に所定間隔の継手遊間１０１（隙間１１５）を設けて対向配置される一対の継手部材１１０、１１０を備えた伸縮装置１００の補修方法である。
本補修方法は、上面２１０ａが継手部材１１０の上面１１１ｃと同等の高さ位置となるように継手遊間内にバックアップ材２１０を埋設する工程（ステップＳ６）と、バックアップ材の上方に縁切り材２１５を設置する工程（ステップＳ８）と、両継手部材間に跨がって伸縮装置の上面にポリウレア樹脂を塗布して塗膜防水層２２０を形成する工程（ステップＳ１０）と、を有することを特徴とする。
本態様によれば、施工性の向上、作業手順の簡素化、及びコスト低減を図りつつ、橋梁の長寿命化を図ることが可能となる。また、塗膜防水層の伸び代を確保でき、塗膜防水層への機械的負荷を軽減できる。
【符号の説明】
【００５５】
１０…道路、１１…遊間、１３…道路本体、１５…段差部、１７…舗装、１７ａ…上面、１８…防護柵、１９…路肩部、２０…吹付装置、２１ａ…第一タンク、２１ｂ…第二タンク、２２ａ…第一ポンプ、２２ｂ…第二ポンプ、２３…高圧定量ポンプ、２４…ヒータ、２５…ヒータ付ホース、２６…スプレーガン、１００…伸縮装置、１０１…継手遊間、１１０…継手部材、１１１…フェースプレート、１１１ａ…凹部、１１１ｂ…凸部、１１１ｃ…上面、１１１ｄ…対向面、１１３…ウェブプレート、１１５…隙間、１２０…一次止水手段、１２１…一次シール材、１２３…一次バックアップ材、１３０…二次止水手段、１４０…後打ちコンクリート、２００…補修構造、２１０…バックアップ材、２１０ａ…上面、２１１…固体バックアップ材、２１３…コーキング材、２１５…縁切り材、２２０…塗膜防水層、２２１…傾斜面、２３０…排水路
【図１】
2020133163.tif 000006
【図２】
2020133163.tif 000007
【図３】
2020133163.tif 000008
【図４】
2020133163.tif 000009
【図５】
2020133163.tif 000010
【図６】
2020133163.tif 000011
【図７】
2020133163.tif 000012